(57)【要約】【課題】  道路の中央分離帯や路肩部に一定又は任意間隔に樹立させたポールに取り付けた視線誘導旗をドライバーが遠方から容易に確認できるようにする。【解決手段】  合成樹脂材からなり横長に形成した柔軟生地（１ａ）の表面及び裏面にそれぞれ蛍光面（２）（３）を設け、該柔軟生地の一端にポール挿通用の挿通部（６）を上下方向に設けると共に、前記蛍光面（２）（３）の表面にそれぞれ任意形状をした反射材（４）（４）を取り付けて旗本体（１）を形成し、該旗本体の周縁部分に連続して補強部（８）を設けてなることを特徴とする。【選択図】  図１
0003132418.tif 000002
【実用新案登録請求の範囲】
【請求項１】
合成樹脂材からなり横長に形成した柔軟生地（１ａ）の表面及び裏面にそれぞれ蛍光面（２）（３）を設け、該柔軟生地の一端にポール挿通用の挿通部（６）を上下方向に設けると共に、前記蛍光面（２）（３）の表面にそれぞれ任意形状をした反射材（４）（４）を取り付けて旗本体（１）を形成し、該旗本体の周縁部分に連続して補強部（８）を設けてなることを特徴とする視線誘導旗。
【請求項２】
前記柔軟生地（１ａ）は、後部側の上下に突出片（５、５）を設けてなり、該柔軟生地の後部を前側に折り返しその端部を固定して設けた挿通部（６ａ）の上下部分に円筒状の突出部（５ａ、５ａ）を設けてなることを特徴とする請求項１記載の視線誘導旗。
【請求項３】
道路の路肩部又は中央分離帯に接して樹立させるポール（９）に取り付けるポリエステル材からなる前記旗本体（１）の挿通部（６）（６ａ）を前記ポール（９）に挿通して掛止具（１１）で取り付けてなることを特徴とする請求項１又は２記載の視線誘導旗。
【請求項４】
前記反射材（４）は、前記ポリエステル材からなる旗本体の表面および裏面に設けた蛍光面（２）（３）の表面にそれぞれ取り付けた２本の反射テープ（４ａ、４ａ）からなり、該旗本体（１）の長手方向に平行に配してなることを特徴とする請求項１又は２記載の視線誘導旗。
【請求項５】
前記柔軟生地（１ａ）の表面及び裏面に設けた蛍光面（２）（３）が、蛍光イエロー色または蛍光オレンジ色であることを特徴とする請求項１又は２記載の視線誘導旗。
【考案の詳細な説明】
【技術分野】
【０００１】
本考案は、車両用道路、特に、降雪地帯に位置する高速道路を降雪時に走行するドライバーの視認性を高め、夕暮れ時や明け方などにおける降雪時でも、車輌を安全に走行することが出来る視線誘導旗に関するものである。
【背景技術】
【０００２】
従来、交通安全用の旗には種々のものがあり、例えば表面に絵、図案、「交通安全」などの文字を表示して方形に形成した旗の一側及び上部をそれぞれ支持部材に連結するための係止部材に反射材をつけたのぼり旗状のものがある（例えば、特許文献１、参照）。さらに、ポリエステル・塩化ビニール等の硬質合成樹脂材からなる蛍光生地に適宜文字などを表示した交通標識用の旗を形成し、該旗に再帰性反射材を用いた昼夜兼用標識旗などもある（例えば、特許文献２、参照）。
【０００３】
冬季において、道路上に積もった雪を除雪すると、該雪は道路の両側の路肩部が雪で隠れてしまう。また、高速道路においては、除雪作業を開始する前に路肩部や中央分離帯の位置が雪に隠れてわからなくなってしまうことがある。そのため、その位置を確認できるようにポールなどを樹立しているが、吹雪いたりまた夜間などにはドライバーにとって該ポールが確認しにくいため安全に車両を走行させることが困難であった。
【０００４】
特に、ポールは道路の中央分離帯や路肩部を表す位置に樹立していて動かないので目立たないし、また、該ポールの表面に雪が付着したりするとヘッドライトの反射も目立たなくなってしまうという問題点があった。さらに、日没時や早朝にあっては景色がぼんやりして、車両を走行させながらポールなどの確認は困難であった。
【特許文献１】登録実用新案第３０１９５２３号公報
【特許文献２】特開平１１−２７９９６１号公報
【考案の開示】
【考案が解決しようとする課題】
【０００５】
かかる従来の問題点に鑑み、本考案は、降雪が激しくなって吹雪いたりまた夕暮れ時などに道路を車輌で走行するドライバーの安全運転を援助するため、道路の中央分離帯や路肩部に一定又は任意間隔に樹立させたポールに取り付ける旗を確認するドライバーの視認性を高め、ドライバーの視線を誘導して安全に走行できるようにすることを目的とするものである。
【課題を解決するための手段】
【０００６】
上記課題を解決するために、本考案は、合成樹脂材からなり横長に形成した柔軟生地１ａの表面及び裏面にそれぞれ蛍光面２、３を設け、該柔軟生地の一端にポール挿通用の挿通部６を上下方向に設けると共に、前記蛍光面２、３の表面にそれぞれ任意形状をした反射材４、４を取り付けて旗本体１を形成し、該旗本体の周縁部分に連続して補強部８を設けてなることを特徴とする。
【０００７】
また、前記柔軟生地１ａは、後部側の上下に突出片５、５を設けてなり、該柔軟生地の後部を前側に折り返しその端部を固定し設けた挿通部６ａの上下部分に円筒状の突出部５ａ、５ａを設けてある。さらに、道路の路肩部又は中央分離帯に接して樹立させたポール９に取り付けるポリエステル材からなる前記旗本体１の挿通部６、６ａを前記ポール９に挿通して掛止具１１で取り付けてある。前記反射材４は、ポリエステル材からなる旗本体の表面および裏面に設けた蛍光面２、３の表面にそれぞれ取り付けた２本の反射テープ４ａ、４ａからなり、該旗本体１の長手方向に平行に配してある。さらにまた、前記柔軟生地の表面及び裏面に設けた蛍光面２、３が、蛍光イエロー色または蛍光オレンジ色であることを特徴とする。
【０００８】
本考案は上記の構成であるから、柔軟生地１ａの表面及び裏面に設けた蛍光面２、３の表面にそれぞれ反射材４、４を取り付け、車両の光が柔軟生地の蛍光面２、３に当たると昼間でも光って目立つようになると共に、反射材４にヘッドライトの光が当たると光源に向かって反射する再帰性反射機能を有したものであれば一層好ましい。
【０００９】
さらに、この旗は柔軟生地で形成してその一端をポール９に取り付け、他端はフリーの状態にしてあるから、風の影響によりはためくことができ、吹雪などの中でライトに反射した反射材４の光が、旗のはためきによって動いて見えるためドライバーにとって一段と目立つ作用を呈する。
【００１０】
また、旗本体１は風によってはためくことができるように一端をポール９に取り付けてあるため、この旗本体１の柔軟生地は周縁部分から切れたりほぐれたりして破損しやすいので、該旗本体の周縁部分を連続して細巾のバイアス片又は細巾の布テープで覆って連続して縫着することにより補強部８を設けたことにより、該旗本体の耐久性を一段と高める作用を有する。
【００１１】
さらに、旗本体１の表面及び裏面は、昼間でも目立つ蛍光塗料である蛍光イエロー色や蛍光オレンジ色などの蛍光面２、３に形成してあるので目立つ作用を有する。さらに蛍光塗料、即ち夜光塗料のように蓄光性を具えてあれば夜間でも光って目立つ作用を呈する。
【００１２】
また、蛍光塗料などとは別に、帯状の反射テープ４ａ、４ａからなる反射材４、４を該旗本体の表地及び裏地に設けた蛍光面２または３に取り付けてあるので、ヘッドライトが当たれば該反射材４、４で反射して光源側に反射する再帰性反射機能を有しておれば、一層目立つ作用を有する。
【考案を実施するための最良の形態】
【００１３】
本考案の実施の形態を実施形態の図面に基づいて説明すると、図１は視線誘導旗をポールの先端に取り付けた状態の一部省略した正面図、図２は図１を上方から見た状態の一部省略した平面図、図３は視線誘導旗をポールに取り付ける掛止具の平面図、図４は他の視線誘導旗の平面図、図５はさらに他の視線誘導旗を構成する柔軟生地の展開した平面図、図６は図５に示した柔軟生地で形成してポールに装着した視線誘導旗の平面図、図７は高速道路の中央分離帯や路肩部に接して樹立させたポールの位置を示す説明図、図８は車両用道路の路肩部に接して樹立させたポールの位置を示す説明図である。
【００１４】
１はポリエステル材などの柔軟な合成樹脂からなる生地で、細長く形成した方形や横向き台形など任意の形状に形成した布製の旗本体で、表面および裏面の表面全体を目立つ色、例えば、蛍光イエロー色、蛍光オレンジ色などの蛍光面２、３に設けてある。
【００１５】
この旗本体１は、一枚の柔軟生地１ａの表面および裏面の片面または両面を利用してもよい。さらに、同形に形成した表地および裏地の２枚を重ねて周囲を縫着して形成しても良い。この旗本体１の表面および裏面に設けた蛍光面２、３に、光が当たると反射する機能を有して細帯状をした公知の反射材４、例えば、２本の帯状をした反射テープ４ａ、４ａを、該旗本体１の長手方向に略平行に配して縫着又は接着して取り付けてある。
【００１６】
この場合、旗本体１は風の影響を受けてはためくため、反射材４は縫着によって取り付けた方が強度の点または価格の面から好ましい。さらに、この旗本体１の表面および裏面に設けた蛍光面２、３の表面にそれぞれ反射テープ４ａ、４ａで形成した線状模様や、市松模様など任意形状をした反射材４、４をそれぞれ取り付けることもできる。
【００１７】
さらに、この旗本体１を構成する柔軟生地の一端部を折り返して先端部を接着又は縫着によって取り付け、内部にポール９を挿通して取り付ける挿通部６を形成してある。この旗本体１の一端を旗本体の略中間部側に折り返してその端部を縫着部７で固着する。この挿通部６は、上下方向が開口してポールが挿通できるようにしても良いし、図４に示すように、該挿通部の一端、即ち上端部分を閉鎖して形成した閉鎖部６ａを設け、ポール９の上端部に掛止できるようにしても良い。    
【００１８】
さらに、図５に示すように柔軟生地１ａの後部側の上下部分に突出片５、５を一体に形成し、該柔軟生地１ａの後部を前部側に折り返して先端部を縫着することにより内部にポール９を挿通させる挿通部６ａ（図６）を設けてある。この場合、図６に示す如く、旗本体１の後部側の上下は、前記突出片５、５によって挿通部６ａの上下部分を上下方向に伸ばして筒状の延長部５ａ、５ａを形成してある。
【００１９】
この柔軟生地１ａの周縁部は、公知の細巾のバイアス片または細巾の布テープ１０で包み込むように縫着することによって補強部８を形成して強度を高めて旗本体１を形成してある。即ち、この旗本体１は道路上であって風の通りがよい場所に設置してある為、風の影響を受けて常にはためいているので、該旗本体１を構成する生地の周縁部からほころびやすい。そのため、旗本体１の周縁部分に補強部８を形成して補強することにより、旗本体１の耐久性を一段と高めることができる。    
【００２０】
１１は弾力性を有した掛止具で、略円形状に形成して両端に夫々止片１２、１２を設けてあり、この止片１２、１２を外方に広げれば容易に外すことができる。この掛止具１１をポール９の挿通させた挿通部６に圧着させて外方からポール９に該旗本体の挿通部６を取り付けてある。この場合、挿通部６の少なくとも１箇所、または上下部分の２箇所に掛止具１１を用いて装着してもよい。この掛止具はリング状でもよいし筒状に形成してもよい。
【００２１】
なお、この旗本体１をポール９に取り付ける手段として、必ずしも金属又は樹脂製の掛止具１１を使用しないで、図４に示すように、旗本体の適宜個所、例えば、挿通部６に接近して１又は複数箇所に紐１４を縫着しておき、この紐１４を用いて縛り付けても良い。特に、図６に示したように挿通部６ａの上下に延長部５ａ、５ａを設けてあれば、紐１４を巻き付けて縛って固着するのに便利である。さらにまた、図４に示した挿通部６の上端は、縫着して閉鎖部６ａを形成してあれば、該旗本体１のポール９上端は閉鎖部６ａに掛止し、ついで、紐で縛って取り付けることもできる。
【００２２】
図７に示すように、高速道路１５の中央に、例えばガードレールなどからなる中央分離帯１９を設け、該中央分離帯の両側には夫々任意間隔又は連続して設けた中央区画帯１６、１６を介してそれぞれ車両通行部１７、１７を形成し、該車両通行部の両外側部分には、例えばガードレールなどからなる路肩部１８、１８を設けてある。そして、除雪によって車両通行部１７、１７から雪が除去されても吹雪いていると、中央分離帯１９や路肩部１８、１８の位置がわからなくなってしまう。そのため、正確な位置がわかるようにするため、中央分離帯１９及び路肩部１８に接して樹立させたポール９、９に、ドライバーのために視線誘導旗を取り付けてあれば、風ではためいて雪が降っていたり夕暮れ時においても目立つため、ドライバーは前記旗を順に視認しながら安心して車両を走行させることができる。
【００２３】
尚、図１に示すように、挿通部６が上下に開口していると、ポール９に挿通して取り付ける視線誘導旗の高さをできるだけ同じにそろえて取り付けられるように、取り付け位置を上下に調整して高さを調整できるため、ドライバーは視線を略一定の高さにして前記旗を確認することができるので見やすいという利点を有している。
【００２４】
図８に示すように、車輌用道路１５の中央部分に一定間隔に設けた中央区画線１６の両側に形成した車輌通行部１７、１７の外側に、崖部分（図示せず）やガードレールなどの路肩部１８、１８が位置している。そして、雪が降った場合に車輌通行部１７、１７上の雪は、除雪されると車両用道路の両側に片寄せられ、路肩部１８、１８の外側は雪に埋もれてガードレールの位置が不明になるので、該路肩部１８、１８の部分に樹立させた長尺なポール９に、本考案に係る視線誘導旗を取り付けることにより、柔軟生地の表面及び裏面に設けた蛍光面２、３が昼間でも目立って見え、さらに、夜間になると蛍光面が光ったり、また、反射材４、４がヘッドライトからの光で反射して路肩部１８、１８の位置を確認することができ、安心して車両を走行させることができる。
【００２５】
さらにまた、旗本体１は柔軟生地で形成してあって風によってはためく為、昼間は蛍光面２、３が動いて見え、また、夜間はヘッドライトが当たった反射材４、４からの反射光が動いて見えるため、車輌を運転しながら遠方からでも一段と目立つ作用を有してドライバーの視線を誘導する働きを呈し、安全に走行することが出来る。
【図面の簡単な説明】
【００２６】
【図１】視線誘導旗をポールの先端に取り付けた状態の一部省略した正面図である。
【図２】図１を上方から見た一部省略した平面図である。
【図３】視線誘導旗をポール取り付ける掛止具の平面図である。
【図４】他の視線誘導旗の平面図である。
【図５】さらに他の視線誘導旗を構成する柔軟生地を展開した平面図である。
【図６】図５に示した柔軟生地で形成してポールに装着した視線誘導旗の平面図である。
【図７】高速道路の中央分離帯や路肩部に接して樹立させたポールの位置を示す説明図である。
【図８】車両用道路の路肩部に接して樹立させたポールの位置を示す説明図である。
【符号の説明】
【００２７】
１      旗本体
１ａ    柔軟生地
２      蛍光面
３      蛍光面
４      反射材
４ａ    反射テープ
５      突出片
５ａ    突出部
６      挿通部
６ａ    挿通部
８      補強部
９      ポール
１１      掛止具
【図１】
0003132418.tif 000003
【図２】
0003132418.tif 000004
【図３】
0003132418.tif 000005
【図４】
0003132418.tif 000006
【図５】
0003132418.tif 000007
【図６】
0003132418.tif 000008
【図７】
0003132418.tif 000009
【図８】
0003132418.tif 000010